(57)【要約】【課題】  音声用孔からの音声の良好な入出力状態を確保すると共に外筐の内部に配置された回路基板への静電気の印加を抑制する。【解決手段】  被写体を撮影するための撮影レンズ６と、樹脂材料によって形成され孔形成部３ａを有する外筐２と、外筐の孔形成部の内面に取り付けられる取付部を有しグラウンドに接続された導電板１６と、外筐の孔形成部の内面側に配置されたマイクロフォン２０とを設け、外筐の孔形成部に音声の入力又は出力が行われる複数の音声用孔７、７、７を形成し、導電板に複数の音声用孔に対向して位置される逃げ孔１８ａを形成し、導電板に複数の音声用孔の間に位置され該複数の音声用孔の並び方向に直交する方向へ突出された突部１９、１９を形成した。【選択図】        図７
2010103825.tif 000002
【特許請求の範囲】
【請求項１】
被写体を撮影するための撮影レンズと、
樹脂材料によって形成され孔形成部を有する外筐と、
前記外筐の孔形成部の内面に取り付けられる取付部を有しグラウンドに接続された導電板と、
前記外筐の孔形成部の内面側に配置されたマイクロフォン又はスピーカーとを備え、
前記外筐の孔形成部に音声の入力又は出力が行われる複数の音声用孔が形成され、
前記導電板に前記複数の音声用孔に対向して位置される逃げ孔が形成され、
前記導電板に前記複数の音声用孔の間に位置され該複数の音声用孔の並び方向に直交する方向へ突出された突部を形成した
撮像装置。
【請求項２】
前記突部の先端部を尖った形状に形成した
請求項１に記載の撮像装置。
【請求項３】
前記音声用孔の並び方向に直交する方向に離隔して一対の前記突部を設けた
請求項１に記載の撮像装置。
【請求項４】
前記突部の外縁と前記音声用孔の開口縁を近接して位置させるようにした
請求項１に記載の撮像装置。
【請求項５】
前記外筐の内面に孔形成部を周囲から覆い前記導電板の位置決めを行う位置決め壁を設けた
請求項１に記載の撮像装置。
【発明の詳細な説明】
【技術分野】
【０００１】
本発明は撮像装置についての技術分野に関する。詳しくは、音声の入力又は出力が行われる複数の音声用孔の間に導電板の突部を設けて音声用孔からの音声の良好な入出力状態を確保すると共に外筐の内部に配置された回路基板への静電気の印加を抑制する技術分野に関する。
【背景技術】
【０００２】
撮像装置には、外筐の一部に孔形成部が設けられ、該孔形成部に音声の入力又は出力が行われる複数の音声用孔が形成され、該音声用孔を介してマイクロフォンに音声が入力され又はスピーカーから音声が出力されるようにしたものがある（例えば、特許文献１参照）。
【０００３】
このような撮像装置においては、音声用孔から外筐の内部に静電気が侵入して外筐の内部に配置された回路基板に静電気が印加されるおそれがある。回路基板に静電気が印加されてしまうと、回路基板上の電子部品の故障や回路の不良を生じるおそれがあり、このような不具合の発生を防止するための静電気対策を施す必要がある。
【０００４】
静電気対策としては、例えば、図１２に示すように、外筐ａの孔形成部ｂの内面に導電板ｃを音声用孔ｄ、ｄ、ｄを周囲から囲む位置に取り付け、導電板ｃを介してグラウンドに静電気を導いて放電する方法がある。このように導電板ｃを音声用孔ｄ、ｄ、ｄを周囲から囲む位置に取り付けることにより、音声用孔ｄ、ｄ、ｄからの音声の入出力を妨げないようにして静電気対策を施すことが可能となる。
【０００５】
【特許文献１】特開２００５−９８０９７号公報
【発明の開示】
【発明が解決しようとする課題】
【０００６】
ところが、上記のような導電板ｃを音声用孔ｄ、ｄ、ｄを周囲から囲む位置に取り付ける静電気対策にあっては、隣り合う音声用孔ｄ、ｄ、ｄ間には導電板ｃが存在しない。従って、音声用孔ｄ、ｄ、ｄの導電板ｃが存在する付近から侵入する静電気は導電板ｃに帯電し易く回路基板に印加され難いが、音声用孔ｄ、ｄ、ｄ間から侵入する静電気は導電板ｃに帯電しない可能性があり、回路基板に印加されるおそれがある。
【０００７】
一方、音声用孔ｄ、ｄ、ｄからの音声の良好な入出力状態を確保するためには、音声用孔ｄ、ｄ、ｄを大きくすることが望ましい。しかしながら、音声用孔ｄ、ｄ、ｄを大きくすると、音声用孔ｄ、ｄ、ｄ間における導電板ｃが存在しない部分の面積が大きくなり、回路基板への静電気の印加の可能性が高くなってしまう。
【０００８】
そこで、本発明撮像装置は、上記した問題点を克服し、音声用孔からの音声の良好な入出力状態を確保すると共に外筐の内部に配置された回路基板への静電気の印加を抑制することを課題とする。
【課題を解決するための手段】
【０００９】
撮像装置は、上記した課題を解決するために、被写体を撮影するための撮影レンズと、樹脂材料によって形成され孔形成部を有する外筐と、前記外筐の孔形成部の内面に取り付けられる取付部を有しグラウンドに接続された導電板と、前記外筐の孔形成部の内面側に配置されたマイクロフォン又はスピーカーとを設け、前記外筐の孔形成部に音声の入力又は出力が行われる複数の音声用孔が形成され、前記導電板に前記複数の音声用孔に対向して位置される逃げ孔が形成され、前記導電板に前記複数の音声用孔の間に位置され該複数の音声用孔の並び方向に直交する方向へ突出された突部を形成したものである。
【００１０】
従って、撮像装置にあっては、音声用孔間に導電板の一部が存在する。
【００１１】
上記した撮像装置において、前記突部の先端部を尖った形状に形成することが望ましい。
【００１２】
突部の先端部を尖った形状に形成することにより、先端部から静電気が導電板に帯電し易くなる。
【００１３】
上記した撮像装置において、前記音声用孔の並び方向に直交する方向に離隔して一対の前記突部を設けることが望ましい。
【００１４】
音声用孔の並び方向に直交する方向に離隔して一対の突部を設けることにより、音声用孔間における突部の占有面積が大きくなる。
【００１５】
上記した撮像装置において、前記突部の外縁と前記音声用孔の開口縁を近接して位置させるようにすることが望ましい。
【００１６】
突部の外縁と音声用孔の開口縁を近接して位置させるようにすることにより、突部の外縁と音声用孔の開口縁との距離が小さくなる。
【００１７】
上記した撮像装置において、前記外筐の内面に孔形成部を周囲から覆い前記導電板の位置決めを行う位置決め壁を設けることが望ましい。
【００１８】
外筐の内面に孔形成部を周囲から覆い導電板の位置決めを行う位置決め壁を設けることにより、導電板の逃げ孔と孔形成部に形成された音声用孔との位置決めが行われる。
【発明の効果】
【００１９】
本発明撮像装置は、被写体を撮影するための撮影レンズと、樹脂材料によって形成され孔形成部を有する外筐と、前記外筐の孔形成部の内面に取り付けられる取付部を有しグラウンドに接続された導電板と、前記外筐の孔形成部の内面側に配置されたマイクロフォン又はスピーカーとを備え、前記外筐の孔形成部に音声の入力又は出力が行われる複数の音声用孔が形成され、前記導電板に前記複数の音声用孔に対向して位置される逃げ孔が形成され、前記導電板に前記複数の音声用孔の間に位置され該複数の音声用孔の並び方向に直交する方向へ突出された突部を形成している。
【００２０】
従って、隣り合う音声用孔間に導電板の一部が存在し、音声用孔から侵入する静電気が導電板に帯電してグラウンドから放電され易くなるため、外筐の内部に配置された回路基板への静電気の印加を抑制することができる。
【００２１】
また、音声用孔の大きさを大きくして音声の良好な入力状態を確保した上で、外筐の内部に配置された回路基板への静電気の印加を抑制することができる。
【００２２】
請求項２に記載した発明にあっては、前記突部の先端部を尖った形状に形成したので、突部を介して静電気が導電板に帯電し易くなり、回路基板への静電気の印加を防止することができる。
【００２３】
請求項３に記載した発明にあっては、前記音声用孔の並び方向に直交する方向に離隔して一対の前記突部を設けたので、導電板が音声用孔の近傍に位置し、回路基板への静電気の印加の防止効果を高めることができる。
【００２４】
請求項４に記載した発明にあっては、前記突部の外縁と前記音声用孔の開口縁を近接して位置させるようにしたので、回路基板への静電気の印加の防止効果を一層高めることができる。
【００２５】
請求項５に記載した発明にあっては、前記外筐の内面に孔形成部を周囲から覆い前記導電板の位置決めを行う位置決め壁を設けたので、音声用孔に対する導電板の位置ずれが防止され、該導電板を音声用孔に対して適正な位置に確実に配置することができる。
【発明を実施するための最良の形態】
【００２６】
以下に、本発明を実施するための最良の形態を添付図面に従って説明する。
【００２７】
以下に示した最良の形態は、本発明をスチルカメラに適用したものである。尚、本発明の適用範囲はスチルカメラに限られることはなく、例えば、ビデオカメラや他の機器に組み込まれた各種の撮像装置に広く適用することができる。
【００２８】
以下の説明にあっては、スチルカメラ（撮像装置）の撮影時において撮影者から見た方向で前後上下左右の方向を示すものとする。従って、被写体側が前方となり、撮影者側が後方となる。
【００２９】
尚、以下に示す前後上下左右の方向は説明の便宜上のものであり、本発明の実施に関しては、これらの方向に限定されることはない。
【００３０】
［全体構成］
撮像装置（スチルカメラ）１は所要の各部を配置するための樹脂材料によって形成された外筐２を有し、該外筐２は、例えば、横長の扁平な略矩形状に形成されている（図１及び図２参照）。従って、外筐２の外面は、前面２ａ、後面２ｂ、上面２ｃ、下面２ｄ、左側面２ｅ及び右側面２ｆによって構成されている。
【００３１】
外筐２は後方に開口された箱状に形成されたフロントパネル３と前方に開口された箱状に形成されたリアパネル４とが前後で結合されて成る。
【００３２】
外筐２には、図１に示すように、レンズ鏡筒５が組み込まれ、該レンズ鏡筒５は、例えば、前後方向に伸縮自在とされた所謂沈胴式のタイプが用いられている。レンズ鏡筒５の前端部には被写体を撮影するための撮影レンズ６が取り付けられている。
【００３３】
レンズ鏡筒５には、ズームレンズを構成する複数のレンズやこれらのレンズを光軸方向へ移動するためのレンズ移動機構等の所要の各部が配置されている。レンズ鏡筒５は、フォーカシング動作時や撮影者のズーミング操作に応じて前後方向へ伸縮される。
【００３４】
フロントパネル３のレンズ鏡筒５に隣接した部分には孔形成部３ａが設けられている。孔形成部３ａは、例えば、前面２ａの左右方向における略中央部の上端寄りの位置に設けられている。孔形成部３ａには前後に貫通された音声用孔７、７、７が直線状に並んだ状態で形成されている。音声用孔７、７、７は、外部の音声を入力するためのマイクロフォン用の音声入力孔として機能する。
【００３５】
上面２ｂには複数の操作部８、８、・・・、例えば、シャッター、モード切替ダイヤル、ズーム釦等が設けられている（図１及び図２参照）。
【００３６】
後面２ｂには右端部を除く部分に表示パネル９が配置されている（図２参照）。後面２ｂの右端部には複数の操作部１０、１０、・・・、例えば、モード切替摘子、機能実行釦等が設けられている。
【００３７】
リアパネル４の右端部における上端側の位置には、取付凹部１１が形成されている（図３参照）。取付凹部１１は後方に開口された浅い凹状に形成されている。
【００３８】
取付凹部１１の上端部は他の部分より深い凹状に形成され、この部分が孔形成部１１ａとして形成されている。孔形成部１１ａには前後に貫通された音声用孔１２、１２、１２が直線状に並んだ状態で形成されている。音声用孔１２、１２、１２は、音声を外部へ出力するためのスピーカー用の音声出力孔として機能する。
【００３９】
［グリップ］
取付凹部１１にはグリップ１３が、例えば、接着によって取り付けられる。グリップ１３は、摩擦係数の大きな材料、例えば、エラストマー、ゴム材料、樹脂材料等によって形成されている。
【００４０】
取付凹部１１にグリップ１３が取り付けられた状態においては、孔形成部１１ａが取付凹部１１における他の部分より深い凹状に形成されているため、孔形成部１１ａとグリップ１３の間に隙間１４が形成される（図４参照）。従って、グリップ１３が取付凹部１１に取り付けられた状態において、隙間１４を介して音声用孔１２、１２、１２から外部に音声が出力される。
【００４１】
撮影者は、撮影時等に両手又は片手で撮像装置１を把持するが、図５に示すように、このとき右手１００の親指１０１をグリップ１３に宛って所要の操作を行うことができる。グリップ１３は、上記したように、摩擦係数の大きな材料によって形成されているため、親指１０１をグリップ１３に宛ったときに撮像装置１の把持状態が安定し、良好な把持性及び操作性を確保することができる。
【００４２】
また、グリップ１３に親指１０１を宛った状態において、図５に示すように、親指１０１をグリップ１３のみに宛うことにより隙間１４が親指１０１によって閉塞されず、音声用孔１２、１２、１２からの音声の出力が行われた状態で各種の操作を行うことが可能である。
【００４３】
一方、グリップ１３に親指１０１を宛った状態において、図６に示すように、親指１０１をグリップ１３と外筐２の後面２ｂに跨って宛うことにより隙間１４が親指１０１によって閉塞され、音声用孔１２、１２、１２からの音声の出力が行われない状態で各種の操作を行うことが可能である。
【００４４】
従って、撮影者は音声の出力を望む場合と望まない場合に応じてグリップ１３に宛う親指１０１の位置を変更すればよく、使い勝手の向上及び撮像装置１の機能性の向上を簡単な操作によって行うことができる。
【００４５】
［前面側の孔形成部に関する構造等］
フロントパネル３には、孔形成部３ａにおける内面に周方向に離隔して位置決め壁１５、１５、１５が設けられている（図７参照）。位置決め壁１５は後方へ突出された円弧状に形成されている。
【００４６】
フロントパネル３の内面には第１の導電板１６が取り付けられている。第１の導電板１６は延設部１７と該延設部１７から突出され外形が円形状に形成された取付部１８とを有している。第１の導電板１６は延設部１７が図示しない回路基板のグラウンドに接続されている。
【００４７】
取付部１８には一方向に長い逃げ孔１８ａが形成されている。取付部１８には逃げ孔１８ａの長手方向に対して直交する方向へ突出された三角形状の突部１９、１９が設けられている。突部１９、１９は突出方向へ行くに従って先細りとなる三角形状に形成され、各先端部１９ａ、１９ａが尖った形状に形成されている。
【００４８】
第１の導電板１６は、取付部１８が位置決め壁１５、１５、１５に位置決めされ、該位置決め壁１５、１５、１５の内側に配置されて孔形成部３ａの内面に取り付けられる。
【００４９】
取付部１８が位置決め壁１５、１５、１５の内側に配置されて孔形成部３ａの内面に取り付けられた状態においては、逃げ孔１８ａの開口縁が音声用孔７、７、７の開口縁に近接して位置され突部１９、１９がそれぞれ音声用孔７、７、７間に位置される。
【００５０】
第１の導電板１６の取付部１８の背面側にはマイクロフォン２０が配置される（図８参照）。マイクロフォン２０はゴムキャップ２１に保持された状態で取付部１８の背面側に配置される。
【００５１】
ゴムキャップ２１の背面側にはホルダー２２が配置される。ホルダー２２は押さえ部２２ａと該押さえ部２２ａの背面から後方へ突出された被押さえ部２２ｂとから成る。ホルダー２２は、被押さえ部２２ｂが外筐２の内部に配置された基板２３の一部によって後方から押さえられ、押さえ部２２ａによってゴムキャップ２１を後方から押さえる。従って、マイクロフォン２０はゴムキャップ２１を介してホルダー２２の押さえ部２２ａによって押さえられて取付部１８の背面側に保持される。
【００５２】
上記したように、撮像装置１にあっては、音声用孔７、７、７が形成された外筐２の孔形成部３ａの内面に第１の導電板１６の取付部１８を取り付け、該取付部１８に音声用孔７、７、７間に位置された突部１９、１９を設けている。
【００５３】
従って、隣り合う音声用孔７、７、７間に第１の導電板１６の一部が存在し、音声用孔７、７、７から侵入する静電気が第１の導電板１６に帯電してグラウンドから放電され易くなるため、外筐２の内部に配置された回路基板への静電気の印加を抑制することができる。
【００５４】
また、音声用孔７、７、７の大きさを大きくすると音声用孔７、７、７間に存在する部分の面積が大きくなるが、音声用孔７、７、７間に存在する部分の面積に応じた大きさに突部１９、１９を形成することにより突部１９、１９を音声用孔７、７、７に近付けることができる。従って、音声用孔７、７、７の大きさを大きくして音声の良好な入力状態を確保した上で、外筐２の内部に配置された回路基板への静電気の印加を抑制することができる。
【００５５】
さらに、突部１９、１９の先端部１９ａ、１９ａを尖った形状に形成しているため、突部１９、１９を介して静電気が第１の導電板１６に帯電し易くなり、回路基板への静電気の印加を防止することができる。
【００５６】
尚、上記には、突部１９、１９を音声用孔７、７、７間に一つずつ設けた例を示したが、図９に示すように、突部１９、１９、・・・を音声用孔７、７、７の並び方向に直交する方向に離隔して各一対設けるようにすることも可能である。
【００５７】
このように突部１９、１９、・・・を音声用孔７、７、７の並び方向に直交する方向に離隔して各一対設けることにより、音声用孔７、７、７の全周に亘って第１の導電板１６が音声用孔７、７、７の近傍に位置し、回路基板への静電気の印加の防止効果を高めることができる。
【００５８】
また、突部１９、１９の外縁と音声用孔７、７、７の開口縁を近接して位置させることにより、回路基板への静電気の印加の防止効果を一層高めることができる。
【００５９】
さらに、フロントパネル３の内面に第１の導電板１６の位置決めを行う位置決め壁１５、１５、１５を設けているいため、音声用孔７、７、７に対する取付部１８の位置ずれが防止され、該取付部１８を音声用孔７、７、７に対して適正な位置に確実に配置することができる。
【００６０】
［後面側の孔形成部に関する構造等］
リアパネル４には、孔形成部１１ａにおける内面に位置決め壁２４が設けられている（図１０参照）。位置決め壁２４は後方へ突出された円弧状に形成されている。
【００６１】
リアパネル４の内面には第２の導電板２５が取り付けられている。第２の導電板２５は延設部２６と該延設部２６から突出され外形が円形状に形成された取付部２７とを有している。第２の導電板２５は延設部２６が図示しない回路基板のグラウンドに接続されている。
【００６２】
取付部２７には一方向に長い逃げ孔２７ａが形成されている。取付部２７には逃げ孔２７ａの長手方向に対して直交する方向へ突出された三角形状の二対の突部２８、２８、・・・が設けられている。各一対の突部２８、２８は突出方向に行くに従って先細りとなる三角形状に形成され、各先端部２８ａ、２８ａが尖った形状に形成され各頂点が近接して位置されている。
【００６３】
第２の導電板２５は、取付部２７が位置決め壁２４に位置決めされ、該位置決め壁２４の内側に配置されて孔形成部１１ａの内面に取り付けられる。
【００６４】
取付部２７が位置決め壁２４の内側に配置されて孔形成部１１ａの内面に取り付けられた状態においては、逃げ孔２７ａの開口縁が音声用孔１２、１２、１２の開口縁に近接して位置され突部２８、２８、・・・がそれぞれ音声用孔１２、１２、１２間に位置される。
【００６５】
第２の導電板２５の取付部２７の背面側にはスピーカー２９が配置される（図１１参照）。スピーカー２９は、外筐２の内部に配置されたフレーム３０の一部によって後方から押さえられ、取付部２７の背面側に保持される。
【００６６】
上記したように、撮像装置１にあっては、音声用孔１２、１２、１２が形成された外筐２の孔形成部１１ａの内面に第２の導電板２５の取付部２７を取り付け、該取付部２７に音声用孔１２、１２、１２間に位置された突部２８、２８、・・・を設けている。
【００６７】
従って、隣り合う音声用孔１２、１２、１２間に第２の導電板２５の一部が存在し、音声用孔１２、１２、１２から侵入する静電気が第２の導電板２５に帯電してグラウンドから放電され易くなるため、外筐２の内部に配置された回路基板へ静電気の印加を抑制することができる。
【００６８】
また、音声用孔１２、１２、１２の大きさを大きくすると音声用孔１２、１２、１２間に存在する部分の面積が大きくなるが、音声用孔１２、１２、１２間に存在する部分の面積に応じた大きさに突部２８、２８、・・・を形成することにより突部２８、２８、・・・を音声用孔１２、１２、１２に近付けることができる。従って、音声用孔１２、１２、１２の大きさを大きくして音声の良好な出力状態を確保した上で、外筐２の内部に配置された回路基板への静電気の印加を抑制することができる。
【００６９】
さらに、突部２８、２８、・・・の先端部２８ａ、２８ａ、・・・を尖った形状に形成しているため、突部２８、２８、・・・を介して静電気が第２の導電板２５に帯電し易くなり、回路基板への静電気の印加を防止することができる。
【００７０】
加えて、突部２８、２８、・・・を音声用孔１２、１２、１２の並び方向に直交する方向に離隔して各一対設けているため、音声用孔１２、１２、１２の全周に亘って第２の導電板２５が音声用孔１２、１２、１２の近傍に位置し、回路基板への静電気の印加の防止効果を高めることができる。
【００７１】
尚、上記には、突部２８、２８、・・・を音声用孔１２、１２、１２の並び方向に直交する方向に離隔して各一対設けた例を示したが、突部２８、２８、・・・を音声用孔１２、１２、１２間にそれぞれ一つずつ設けるようにすることも可能である。
【００７２】
また、突部２８、２８、・・・の外縁と音声用孔１２、１２、１２の開口縁を近接して位置させることにより、回路基板への静電気の印加の防止効果を一層高めることができる。
【００７３】
さらに、リアパネル４の内面に第２の導電板２５の位置決めを行う位置決め壁２４を設けているため、音声用孔１２、１２、１２に対する取付部２７の位置ずれが防止され、該取付部２７を音声用孔１２、１２、１２に対して適正な位置に確実に配置することができる。
【００７４】
上記には、三つの音声用孔７、７、７及び三つの音声用孔１２、１２、１２が形成された例を示したが、音声用孔７、１２の数は三つに限られることはなく、それぞれ複数であれば任意である。
【００７５】
この場合には、音声用孔７、１２の数に応じて該音声用孔７、７間及び音声用孔１２、１２間にそれぞれ突部１９、１９と突部２８、２８が位置されるように突部１９と突部２８の数を決定すればよい。また、この場合にも、音声用孔７、７間及び音声用孔１２、１２間にそれぞれ一つずつの突部１９と突部２８が位置されるようにしてもよい。
【００７６】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７７】
【図１】図２乃至図１１と共に本発明の最良の形態を示すものであり、本図は、撮像装置を示す斜視図である。
【図２】撮像装置を図１とは異なる方向から見た状態で示す背面側の斜視図である。
【図３】取付凹部とグリップを示す拡大斜視図である。
【図４】リアパネルの取付凹部が形成された部分を一部を省略して示す拡大断面図である。
【図５】親指をグリップのみに宛って隙間を閉塞していない状態を示す斜視図である。
【図６】親指をグリップとリアパネルに跨って宛い親指で隙間を閉塞した状態を示す斜視図である。
【図７】フロントパネルの内面側の部分を一部を省略して示す拡大背面図である。
【図８】前面側の孔形成部において、マイクロフォンの保持状態を示す拡大断面図である。
【図９】二対の突部が設けられた例を示す拡大背面図である。
【図１０】リアパネルの内面側の一部を示す拡大斜視図である。
【図１１】後面側の孔形成部において、スピーカーの保持状態を示す拡大断面図である。
【図１２】従来の導電板の形状等を示す拡大図である。
【符号の説明】
【００７８】
１…撮像装置、２…外筐、３ａ…孔形成部、６…撮影レンズ、７…音声用孔、１１ａ…孔形成部、１２…音声用孔、１５…位置決め壁、１６…第１の導電板、１８…取付部、１８ａ…逃げ孔、１９…突部、１９ａ…先端部、２０…マイクロフォン、２４…位置決め壁、２５…第２の導電板、２７…取付部、２７ａ…逃げ孔、２８…突部、２８ａ…先端部、２９…スピーカー
【図１】
2010103825.tif 000003
【図２】
2010103825.tif 000004
【図３】
2010103825.tif 000005
【図４】
2010103825.tif 000006
【図５】
2010103825.tif 000007
【図６】
2010103825.tif 000008
【図７】
2010103825.tif 000009
【図８】
2010103825.tif 000010
【図９】
2010103825.tif 000011
【図１０】
2010103825.tif 000012
【図１１】
2010103825.tif 000013
【図１２】
2010103825.tif 000014